(57)【要約】【課題】偏摩耗の発生をより効果的に防止することができる空気入りタイヤを提供する。【解決手段】トレッド部に、各溝壁の開口端縁がタイヤ周方向に沿ってジグザグ状に延びる１対の周方向太溝をタイヤ赤道を挟んで配設して、トレッド部を中央域と、両側方域とに区分し、中央域に、タイヤ周方向に沿ってジグザグ状に延びる少なくとも１本の周方向細溝と、複数本の横溝とを配設して、中央域に位置する陸部部分を、平面視でｎ角形（ただし、ｎ≧６）をした多数個のブロック陸部からなる少なくとも２列の中央ブロック陸部列に区画形成してなり、周方向太溝に隣接する中央ブロック陸部列に位置するブロック陸部は、隣接する周方向太溝側の側壁角度が、周方向太溝に隣接するブロック陸部の踏面とのなす交角にして、ブロック陸部のタイヤ周方向両端部で小さく、中央部で当該周方向両端部より大きいことを特徴とする、空気入りタイヤである。【選択図】図４
2010254252.tif 000002
【特許請求の範囲】
【請求項１】
トレッド部に、各溝壁の開口端縁がタイヤ周方向に沿ってジグザグ状に延びる１対の周方向太溝をタイヤ赤道を挟んで配設して、トレッド部を中央域と両側方域とに区分し、
前記中央域に、タイヤ周方向に沿ってジグザグ状に延びる少なくとも１本の周方向細溝と、前記周方向太溝と周方向細溝間および／または隣接する２本の周方向細溝間で延びる複数本の横溝とを配設して、当該中央域に位置する陸部部分を、平面視でｎ角形（ただし、ｎ≧６）をした多数個のブロック陸部からなる少なくとも２列の中央ブロック陸部列に区画形成してなり、
前記複数の中央ブロック陸部列のうち、隣接する２列の中央ブロック陸部列にそれぞれ位置するブロック陸部同士は、タイヤ周方向に互いにずれた位置関係にあり、
前記周方向太溝に隣接する中央ブロック陸部列に位置するブロック陸部は、隣接する周方向太溝側の側壁角度が、当該周方向太溝に隣接するブロック陸部の踏面とのなす交角にして、ブロック陸部のタイヤ周方向両端部で小さく、中央部で当該タイヤ周方向両端部より大きいことを特徴とする、空気入りタイヤ。
【請求項２】
前記周方向太溝を挟んで隣接して位置するブロック陸部は、タイヤ周方向位置が互いに一致した配置になる請求項１記載の空気入りタイヤ。
【請求項３】
前記周方向太溝は、溝開口形状が、タイヤ周方向に沿って複数個の台形状開口部を、上底と下底を交互にひっくり返して連結した蛇腹形状をなし、かつ前記周方向太溝の溝底中心位置が、タイヤ周方向に直線状に延びる形状をなす請求項２記載の空気入りタイヤ。
【請求項４】
前記周方向太溝を挟んで隣接して位置するブロック陸部は、タイヤ周方向位置が互いに所定ピッチだけずれた配置になる請求項１記載の空気入りタイヤ。
【請求項５】
前記周方向太溝は、溝開口形状が、タイヤ周方向に沿って一定の溝幅でジグザグ形状をなす請求項４記載の空気入りタイヤ。
【請求項６】
前記周方向太溝のうち、少なくとも１本の周方向太溝を挟んで隣接して位置するブロック陸部は、タイヤ周方向位置が互いに一致した配置になり、残りの周方向太溝を挟んで隣接して位置するブロック陸部は、タイヤ周方向位置が互いに所定ピッチだけずれた配置になる請求項１記載の空気入りタイヤ。
【請求項７】
前記周方向太溝は、その開口溝幅が１０ｍｍ以上である請求項１〜６のいずれか１項記載の空気入りタイヤ。
【請求項８】
前記ブロック陸部は、当該ブロック陸部の中央部間で延びる溝幅４ｍｍ以下の細溝を有する請求項１〜７のいずれか１項に記載の空気入りタイヤ。
【発明の詳細な説明】
【技術分野】
【０００１】
本発明は、タイヤ周方向に延びる複数本のタイヤ周方向溝と、隣接する２本のタイヤ周方向溝を連通する複数本の横溝とをトレッド部に配設することによって、多数個のブロック陸部からなる複数のブロック陸部列を区画形成した空気入りタイヤに関するものである。
【背景技術】
【０００２】
一般に、トレッド部全域にブロック陸部を配したトレッドパターンを有する空気入りタイヤでは、負荷される荷重に比例して走行時に生じるヒールアンドトウ摩耗に起因した偏摩耗が生じ易くなる。ここで、ヒールアンドトウ摩耗とは、タイヤ負荷転動時にブロック陸部が過剰に変形することで、踏込端（最初に接地する部分）と蹴出端（最後に接地する部分）との摩耗量が多くなるような摩耗のことをいう。そのため、特に重荷重用空気入りタイヤでは、このヒールアンドトウ摩耗に起因した偏摩耗により、主にブロック陸部の中央部分とタイヤ周方向両端との間に摩耗差が生じ、タイヤの使用寿命が短くなるという問題がある。
【０００３】
かかる偏摩耗の対策として、従来から多くの抑制策が試みられている。そして、その中でも、例えば、特許文献１に開示されているように、ブロックを区画形成する横溝の一部を浅くする、すなわち横溝に底上げ部を設けることで、ブロック陸部のタイヤ周方向への倒れ込み変形に抗する応力を高めて、単位面積あたりの駆動力負担の増大を抑制し、倒れ込み変形に起因した偏摩耗を防止する方法が効果的であるとされている。
【０００４】
ここで、タイヤの偏平率が大きく、ベルト剛性が高い重荷重用空気入りタイヤ等では、図１に示すように、駆動力が負荷されることによるベルト部の回転と、路面と接地しているトレッド部の摩擦とにより、ベルト部とトレッド部との間に変位差が生じ、トレッド部が過剰に倒れ込み変形する（図１の点線参照）。この結果、トレッド部の単位面積あたりの駆動力負担が増大するので、ブロック陸部の路面に対するすべり現象が発生し、かかるすべり現象に起因してブロック陸部の摩耗量が増大する。しかし、特許文献１に記載の空気入りタイヤでは、偏摩耗の防止には一定の効果はあるものの、タイヤ負荷転動時のブロック陸部の倒れ込み変形を充分に抑制することができないため、すべり現象に起因するブロック陸部の摩耗量の増大を抑制することはできない。従って、特許文献１に記載の空気入りタイヤには、耐摩耗性の点で問題が残っていた。また、一般に、ブロック陸部を構成するゴムの剛性を高め、ブロック陸部の過剰な倒れ込み変形を抑制することで、ブロック陸部の摩耗量を有効に抑制することも可能ではあるが、ブロック陸部の剛性を高め過ぎると、タイヤ負荷転動時にブロック陸部のもげやクラックによる破壊を招く恐れがある。そのため、ブロック陸部の形状及びその配設位置の適正化を図ることにより操縦安定性および排水性を悪化させることなく耐偏摩耗性および耐摩耗性を向上させた空気入りタイヤが求められている。
【先行技術文献】
【特許文献】
【０００５】
【特許文献１】特開平６−１７１３１８号公報
【発明の概要】
【発明が解決しようとする課題】
【０００６】
これに対し、タイヤ周方向に延びる複数本の周方向溝と、隣接する２本の周方向溝を連通する複数本の横溝とを配設することによって、多数個のブロック陸部からなる複数のブロック陸部列を区画形成した空気入りタイヤにおいて、周方向溝を挟んで隣接する少なくとも２列のブロック陸部列でブロック陸部のタイヤ幅方向断面の長さをブロック陸部のタイヤ周方向両端部からブロック陸部の中央部にかけて増大させ、隣接する２列のブロック陸部列を構成するブロック陸部をタイヤ周方向に互いにずらして配設し、タイヤ幅方向に隣接しているブロック陸部間の溝部の延在方向をタイヤ幅方向及びタイヤ周方向に対して傾斜させ、タイヤ周方向に隣接するブロック陸部間距離よりもタイヤ幅方向に隣接するブロック陸部間距離を短くすることにより、ブロック陸部の形状及びその配設位置を適正化することが考えられる。
【０００７】
このような形状及び配設位置のブロック陸部を用いれば、例えば図２に示すように、ブロック陸部４が路面に対して斜めに接地したときに、ブロック陸部４の中央領域に圧縮応力が集中してブロック陸部４の中央領域のゴムが蹴出端から踏込端に向かって変形しようとする力が発生しても、ブロック陸部４の蹴出端側のタイヤ周方向に対して傾斜しているブロック陸部４の壁部が法線方向に膨出しようとする力（図２の矢印Ｑ）が発生するので、その分力Ｒがブロック陸部４内で相殺される。また、もう一方の分力Ｐがブロック陸部４の中央領域のゴムが蹴出端から踏込端に向かって変形しようとする力に抗する。従って、上述した空気入りタイヤでは、操縦安定性および排水性を悪化させることなくブロック陸部の過剰な変形を抑制して、偏摩耗及びブロック陸部のすべり摩耗を防止することが可能となる。
【０００８】
しかしながら、上記空気入りタイヤには、ブロック陸部の中央領域のゴムが蹴出端から踏込端に向かって変形しようとする力に抗する力を大きくすれば、偏摩耗の発生をより効果的に防止することができるという点で改善の余地があった。
【課題を解決するための手段】
【０００９】
この発明は、上記課題を有利に解決することを目的とするものであり、本発明の空気入りタイヤは、トレッド部に、各溝壁の開口端縁がタイヤ周方向に沿ってジグザグ状に延びる１対の周方向太溝をタイヤ赤道を挟んで配設して、トレッド部を中央域と両側方域とに区分し、前記中央域に、タイヤ周方向に沿ってジグザグ状に延びる少なくとも１本の周方向細溝と、前記周方向太溝と周方向細溝間および／または隣接する２本の周方向細溝間で延びる複数本の横溝とを配設して、当該中央域に位置する陸部部分を、平面視でｎ角形（ただし、ｎ≧６）をした多数個のブロック陸部からなる少なくとも２列の中央ブロック陸部列に区画形成してなり、前記複数の中央ブロック陸部列のうち、隣接する２列の中央ブロック陸部列にそれぞれ位置するブロック陸部同士は、タイヤ周方向に互いにずれた位置関係にあり、前記周方向太溝に隣接する中央ブロック陸部列に位置するブロック陸部は、隣接する周方向太溝側の側壁角度が、当該周方向太溝に隣接するブロック陸部の踏面とのなす交角にして、ブロック陸部のタイヤ周方向両端部で小さく、中央部で当該タイヤ周方向両端部より大きいことを特徴とする。このような構成の空気入りタイヤによれば、周方向太溝および周方向細溝がタイヤ周方向にジグザグ状に延びており、中央域に位置する陸部部分が平面視でｎ角形（ただし、ｎ≧６）をした多数個のブロック陸部からなるので、ブロック陸部が路面に対して斜めに接地したときに、ブロック陸部の中央領域に圧縮応力が集中してブロック陸部の中央領域のゴムが蹴出端から踏込端に向かって変形しようとする力が発生しても、ブロック陸部の蹴出端側の側壁が法線方向に膨出しようとする力が発生する。従って、操縦安定性および排水性を悪化させることなくブロック陸部の過剰な変形を抑制して、偏摩耗及びブロック陸部のすべり摩耗を防止することができる。また、周方向太溝に隣接する中央ブロック陸部列に位置するブロック陸部の側壁角度が、当該周方向太溝に隣接するブロック陸部の踏面とのなす交角にして、ブロック陸部のタイヤ周方向両端部で小さく、中央部で当該タイヤ周方向両端部より大きいので、ブロック陸部の蹴出端側の側壁の面積が大きくなり、側壁が法線方向に膨出しようとする力が大きくなる。従って、偏摩耗の発生をより効果的に防止することができる。
なお、本発明において、「踏面」とは走行時に路面と接する面を指し、「細溝」とは、太溝よりも溝幅の小さい溝であり、「ずれた位置関係」とは、タイヤ幅方向に隣接するブロック陸部のタイヤ周方向位置の始点を異ならせてブロック陸部のタイヤ周方向端がタイヤ幅方向に隣接するブロック陸部間で一致しないようにした位置関係を指す。また、周方向細溝の本数が１本の場合には、周方向細溝間で延びる横溝は存在しない。
【００１０】
ここで、本発明の空気入りタイヤは、前記周方向太溝を挟んで隣接して位置するブロック陸部が、タイヤ周方向位置が互いに一致した配置になることが好ましい。このように、周方向太溝を挟んでタイヤ幅方向に隣接するブロック陸部のタイヤ周方向の位置を同一とする、即ちタイヤ幅方向に隣接するブロック陸部間でブロック陸部の周方向端を一致させれば、ＷＥＴ路面走行時の排水性を向上することができるからである。また、ブロック陸部の踏み込みおよび蹴り出しのタイミングがタイヤ幅方向で同時となるため、直進走行時の安定性を増すことができるからである。
【００１１】
更に、本発明の空気入りタイヤは、前記周方向太溝の溝開口形状が、タイヤ周方向に沿って複数個の台形状開口部を、上底と下底を交互にひっくり返して連結した蛇腹形状をなし、かつ前記周方向太溝の溝底中心位置が、タイヤ周方向に直線状に延びる形状をなしていることが好ましい。このように、周方向太溝の溝開口形状を蛇腹形状とすると共に、溝底中心位置を直線状に延びるようにすることで、ＷＥＴ路面走行時の排水性を更に向上することができるからである。なお、本発明において、「溝底中心位置」とは、溝の底面のタイヤ幅方向中心位置を指す。
【００１２】
また、本発明の空気入りタイヤは、前記周方向太溝を挟んで隣接して位置するブロック陸部が、タイヤ周方向位置が互いに所定ピッチだけずれた配置になることが好ましい。このように、周方向太溝を挟んでタイヤ幅方向に隣接して位置するブロック陸部のタイヤ周方向位置を所定ピッチだけずらす、即ちタイヤ幅方向に隣接するブロック陸部間でブロック陸部の周方向端を異ならせれば、周方向太溝の溝幅が狭くても、ブロック陸部の中央部において側壁が踏面となす交角を大きくとることができるからである。また、ブロック陸部の踏み込みおよび蹴り出しのタイミングをタイヤ幅方向で異ならせることができるため、騒音の発生を抑制することができるからである。
【００１３】
更に、本発明の空気入りタイヤは、前記周方向太溝の溝開口形状が、タイヤ周方向に沿って一定の溝幅でジグザグ形状をなしていることが好ましい。このようにすれば、石の噛み込みを防止することができるからである。
【００１４】
また、本発明の空気入りタイヤは、前記周方向太溝のうち、少なくとも１本の周方向太溝を挟んで隣接して位置するブロック陸部が、タイヤ周方向位置が互いに一致した配置になり、残りの周方向太溝を挟んで隣接して位置するブロック陸部が、タイヤ周方向位置が互いに所定ピッチだけずれた配置になることが好ましい。デザインの自由度を大きくすることができると共に、隣接するブロック陸部のタイヤ周方向位置をずらした場合の長所と一致させた場合の長所との双方をバランスさせることができるからである。
【００１５】
そして、本発明の空気入りタイヤは、前記周方向太溝の開口溝幅が１０ｍｍ以上であることが好ましい。開口溝幅を１０ｍｍ以上とすれば、ブロック陸部の中央部において側壁が踏面となす交角を大きくとることができるからである。なお、本発明において、「開口溝幅が１０ｍｍ以上」とは、タイヤ幅方向の開口溝幅が最も狭い部分において溝幅が１０ｍｍ以上であることを指す。
【００１６】
また、本発明の空気入りタイヤは、前記ブロック陸部が、当該ブロック陸部の中央部間で延びる溝幅４ｍｍ以下の細溝を有することが好ましい。このように、ブロック陸部の中央部間に延在する細溝を設ければ、ブロック陸部の剛性を確保しつつグリップ力を総じて向上させることができ、エンジンからのトルクを効率的に駆動力に変換することが可能となるからである。
【発明の効果】
【００１７】
本発明によれば、偏摩耗の発生をより効果的に防止することができるブロック陸部を備えた空気入りタイヤを提供することができる。
【図面の簡単な説明】
【００１８】
【図１】駆動力が負荷された際に生じるベルト部とトレッド部との間の変位差を示す説明図である。
【図２】偏摩耗及びすべり摩耗を防止することが可能なブロック陸部の斜視図である。
【図３】本発明に従う空気入りタイヤの一例のトレッド部の一部の展開図である。
【図４】（ａ）は本発明に従うブロック陸部の一例の斜視図であり、（ｂ）は図４（ａ）に示すブロック陸部をタイヤ周方向から見た側面図である。
【図５】本発明に従う空気入りタイヤの周方向太溝の形状および溝底位置の一例を図３のＩ−Ｉ線、ＩＩ−ＩＩ線およびＩＩＩ−ＩＩＩ線に沿って示す断面図である。
【図６】（ａ）〜（ｃ）は本発明に従う空気入りタイヤのブロック陸部形状の例を示す説明図である。
【図７】（ａ）〜（ｃ）は本発明に従う空気入りタイヤの細溝形状の例を示す説明図である。
【図８】（ａ）は本発明に従うブロック陸部の配置の別の例を示す図であり、（ｂ）は周方向太溝の形状および溝底位置を図８（ａ）のＩＶ−ＩＶ線、Ｖ−Ｖ線およびＶＩ−ＶＩ線に沿って示す断面図である。
【発明を実施するための形態】
【００１９】
以下、図面を参照しつつこの発明の実施の形態を説明する。この発明のタイヤは、図３に示すように、トレッド部１に、各溝壁の開口端縁がタイヤ周方向に沿ってジグザグ状に延びる１対の周方向太溝２をタイヤ赤道Ｅを挟んで配設して、トレッド部１を中央域５と２つの側方域６とに区分したものである。
【００２０】
ここで、中央域５には、タイヤ周方向に沿ってジグザグ状に延びる４本の周方向細溝７と、周方向太溝２と周方向細溝７との間および隣接する２本の周方向細溝７間で延びる複数本の横溝８とが配設されている。そして、中央域５に位置する陸部部分は、周方向太溝２と、周方向細溝７と、横溝８とにより、平面視がタイヤ幅方向に突出する頂点を有する６角形である多数個のブロック陸部４からなる５列の中央ブロック陸部列９に区画形成されている。そして、隣接する２列の中央ブロック陸部列９に位置するブロック陸部４同士は、タイヤ周方向に互いにずれた位置関係にある。即ち、隣接する２列の中央ブロック陸部列９のブロック陸部４同士は、タイヤ周方向端部の位置が、タイヤ周方向に半ピッチ（ブロック陸部４のタイヤ周方向の長さの半分）ずれている。
【００２１】
また、各側方域６には、タイヤ周方向に沿ってジグザグ状に延びる２本の周方向細溝７と、周方向太溝２と周方向細溝７との間、隣接する２本の周方向細溝７間および周方向細溝７とトレッド端との間で延びる複数本の横溝８とが配設されている。そして、側方域６に位置する陸部部分は、周方向太溝２と、周方向細溝７と、横溝８とにより、平面視がタイヤ幅方向に突出する頂点を有する６角形である多数個のブロック陸部４からなる２列のブロック陸部列１０と、ブロック陸部列１０よりトレッド端側に位置して平面視が５角形である多数個のブロック陸部１２からなるブロック陸部列１１とに区画形成されている。
【００２２】
そして、周方向太溝２を挟んで隣接して位置する中央域５のブロック陸部４と側方域６のブロック陸部４とは、タイヤ周方向位置が互いに所定ピッチだけずれている。即ち、周方向太溝２を挟んで隣接するブロック陸部４同士は、タイヤ周方向端部の位置が、タイヤ周方向に半ピッチ（ブロック陸部４のタイヤ周方向の長さの半分）ずれている。このようにすれば、ブロック陸部の踏み込みおよび蹴り出しのタイミングをタイヤ幅方向で異ならせることができるため、騒音の発生を抑制することができる。
【００２３】
ここで、周方向太溝２は、溝幅が１０ｍｍ以上であることが好ましく、タイヤ周方向に沿って一定の溝幅でジグザグ形状をなしている。また、周方向細溝７は、溝幅が１．０〜５．０ｍｍであることが好ましく、横溝８は、溝幅が３．０〜１０．０ｍｍであることが好ましい。
【００２４】
また、トレッド部１の中央域５においては、周方向太溝２に隣接する中央ブロック陸部列９に位置するブロック陸部４は、当該ブロック陸部４が隣接する周方向太溝２側に位置する側壁の角度が、周方向太溝２に隣接するブロック陸部４の踏面とのなす交角にして、ブロック陸部４のタイヤ周方向両端部で小さく、中央部で当該タイヤ周方向両端部より大きい。更に、側方域６においては、周方向太溝２に隣接するブロック陸部列１０に位置するブロック陸部４は、当該ブロック陸部４が隣接する周方向太溝２側に位置する側壁の角度が、周方向太溝２に隣接するブロック陸部４の踏面とのなす交角にして、ブロック陸部４のタイヤ周方向両端部で小さく、中央部で当該タイヤ周方向両端部より大きい。なお、周方向太溝２に隣接するブロック陸部以外のブロック陸部４は、６角柱状をしている。
【００２５】
具体的には、周方向太溝２に隣接するブロック陸部４は、例えば図４に示す形状とすることができる。このブロック陸部４は、図４（ａ）に示すように、走行時に路面と接するブロック陸部踏面４１の形状が平面視６角形である。そして、周方向太溝２側に位置する側壁４２の角度が、ブロック陸部４をタイヤ周方向から見た図４（ｂ）に示すように、踏面４１とのなす交角にして、ブロック陸部４のタイヤ周方向両端部で小さく（角度α）、中央部で角度αより大きい（角度β）。
【００２６】
そして、図３に示す周方向太溝２は、その溝底の中心位置を結ぶ溝底中心ラインがタイヤ周方向へジグザグ状に延びている（図３の一点鎖線参照）。具体的には、図３のＩ−Ｉ線、ＩＩ−ＩＩ線およびＩＩＩ−ＩＩＩ線に沿う周方向太溝２の断面形状は、図５に示すような形状となっている。従って、周方向太溝２は石の噛み込みを生じ難い。
【００２７】
また、トレッド部１のブロック陸部４には、中央部間で延びる溝幅４ｍｍ以下、好ましくは溝幅１ｍｍ以下の細溝４３や、浅い（深さ１〜５ｍｍ）湯溝４４を設けても良い。このように、細溝４３を配設して蹴出端を再度設けることで、ブロック陸部４のグリップ力を総じて向上させることができ、エンジンからのトルクを効率的に駆動力に変換することが可能となる。なお、ブロック陸部４の平面視形状は、図６に示すような形状とすることもできる。具体的には、一般的な６角形のほか（図６（ａ）参照）、傾いた６角形としたり（図６（ｂ）参照）、６角形のエッジを落として８角形としたり（図６（ｃ）参照）することができる。また細溝４３は、ブロック陸部４内で屈曲又は屈折していても良く、例えば図７（ａ）〜（ｃ）に示すような形状で延びていても良い。
【００２８】
上述したような構成のトレッド部１を有する空気入りタイヤによれば、ブロック陸部４が路面に対して斜めに接地したときに、ブロック陸部４の中央領域に圧縮応力が集中してブロック陸部４の中央領域のゴムが蹴出端から踏込端に向かって変形しようとする力が発生しても、ブロック陸部４の蹴出端側の側壁が法線方向に膨出しようとする力が発生する（図２参照）。従って、ブロック陸部４の過剰な変形を抑制して、偏摩耗及びブロック陸部のすべり摩耗を防止することができる。また、周方向細溝７は溝幅の狭い溝であるので、タイヤ幅方向に隣接するブロック陸部４間において、ブロック陸部４が路面に接地した際に膨出する側壁同士は当接して支え合うこととなる。従って、ブロック陸部４の過剰な変形や破壊を防止することができる。更に、周方向太溝２に隣接する中央ブロック陸部列９に位置するブロック陸部４の側壁４２の角度が、当該周方向太溝２に隣接するブロック陸部４の踏面４１とのなす交角にして、ブロック陸部４のタイヤ周方向両端部で小さく、中央部で当該タイヤ周方向両端部より大きいので、周方向太溝２に隣接するブロック陸部４の蹴出端側の側壁の面積が大きくなり、側壁が法線方向に膨出しようとする力が大きくなる。従って、偏摩耗の発生をより効果的に防止することができる。
【００２９】
また、本発明の空気入りタイヤのトレッド部１に区画形成するブロック陸部４は、図８に示すように、周方向太溝２を挟んで隣接するブロック陸部４のタイヤ周方向位置が互いに一致するように配置しても良い。この場合、周方向太溝２の溝開口形状は、タイヤ周方向に沿って複数個の台形状開口部を上底と下底を交互にひっくり返して連結した蛇腹形状となる。また、周方向太溝２の溝底中心ラインは、図８（ａ）に一点鎖線で示すようにタイヤ周方向に直線状に延びることとなる。なお、周方向太溝２の断面形状は図８（ｂ）に示すような形状となる。そして、上述したようなブロック陸部４の配置によれば、排水性を高めることができる。また、ブロック陸部の踏み込みおよび蹴り出しのタイミングがタイヤ幅方向で同時となるため、直進走行時の安定性を増すことができる。
【００３０】
更に、本発明の空気入りタイヤは、中央域５に更に複数の周方向太溝２を備えても良く、また、周方向太溝２を挟んで隣接するブロック陸部４のタイヤ周方向位置は、少なくとも１本の周方向太溝を挟んで隣接して位置するブロック陸部のタイヤ周方向位置が互いに一致した配置になり、残りの周方向太溝を挟んで隣接して位置するブロック陸部のタイヤ周方向位置が互いに所定ピッチだけずれた配置になるようにしても良い。このようにすれば、デザインの自由度を大きくすることができると共に、隣接するブロック陸部のタイヤ周方向位置をずらした場合の長所と一致させた場合の長所との双方をバランスさせることができる。
【実施例】
【００３１】
（実施例１）
表１に示す諸元で、図８に示すような配置のブロック陸部を有するタイヤを、タイヤサイズ４９５／４５Ｒ２２．５の重荷重用タイヤとして試作し、下記の方法で性能評価を行った。なお、走行試験を行う際のタイヤ一本あたりの荷重は５８００ｋｇ、内圧は９００ｋＰａとし、トレッド部のタイヤ周方向の溝の深さは１５ｍｍ、タイヤ幅方向の溝の深さは１２ｍｍ、ショルダーブロックの幅は６０ｍｍとした。
（実施例２〜４）
ブロック陸部の配置を図３に示すような配置とし、表１に示す諸元でタイヤサイズ４９５／４５Ｒ２２．５の重荷重用タイヤを試作し、下記の方法で性能評価を行った。なお、走行試験を行う際のタイヤ一本あたりの荷重は５８００ｋｇ、内圧は９００ｋＰａとし、トレッド部のタイヤ周方向の溝の深さは１５ｍｍ、タイヤ幅方向の溝の深さは１２ｍｍ、ショルダーブロックの幅は６０ｍｍとした。
（従来例１、比較例１〜４）
表１に示す諸元に変更した以外は実施例２と同様にしてタイヤサイズ４９５／４５Ｒ２２．５の重荷重用タイヤを試作し、下記の方法で性能評価を行った。なお、走行試験を行う際のタイヤ一本あたりの荷重は５８００ｋｇ、内圧は９００ｋＰａとし、トレッド部のタイヤ周方向の溝の深さは１５ｍｍ、タイヤ幅方向の溝の深さは１２ｍｍ、ショルダーブロックの幅は６０ｍｍとした。
【００３２】
＜ＤＲＹ操安性（乾燥路面での操縦安定性）＞
乾燥路面において、時速８０ｋｍで直進走行した後に半径７０ｍから半径２０ｍのスラロームまで旋回半径を小さくする旋回走行を実施し、その際の操縦安定性をテストドライバーが点数を付けて評価した。そして、従来例１を１００としてＤＲＹ操安性を指数評価した（数値が高いほどＤＲＹ操安性が良いことを示す）。結果を表２に示す。
＜ＷＥＴ操安性（ＷＥＴ路面での操縦安定性）＞
ＷＥＴ路面において、新品および５０％摩耗時のタイヤを装着し、時速８０ｋｍで直進走行した後に半径７０ｍから半径４０ｍのスラロームまで旋回半径を小さくする旋回走行を実施し、その際の操縦安定性をテストドライバーが点数を付けて評価した。そして、従来例１を１００としてＷＥＴ操安性を指数評価した（数値が高いほどＷＥＴ操安性が良いことを示す）。結果を表２に示す。
＜騒音レベル＞
乾燥路面において、時速８０ｋｍで直進走行した際の騒音フィーリングをテストドライバーが点数を付けて評価した。そして、従来例１を１００として騒音レベルを指数評価した（数値が高いほど騒音レベルが低いことを示す）。結果を表２に示す。
【００３３】
【表１】
2010254252.tif 000003
【００３４】
【表２】
2010254252.tif 000004
【符号の説明】
【００３５】
１  トレッド部
２  周方向太溝
４  ブロック陸部
５  中央域
６  側方域
７  周方向細溝
８  横溝
９  中央ブロック陸部列
１０  ブロック陸部列
１１  ブロック陸部列
４１  踏面
４２  側壁
４３  細溝
４４  湯溝
【図１】
2010254252.tif 000005
【図２】
2010254252.tif 000006
【図３】
2010254252.tif 000007
【図４】
2010254252.tif 000008
【図５】
2010254252.tif 000009
【図６】
2010254252.tif 000010
【図７】
2010254252.tif 000011
【図８】
2010254252.tif 000012